(57)【要約】【課題】ユーザがあらかじめ指定したＰＣなどの装置上の記憶装置に、ユーザが入力したデータを順次記録していくようにし、不具合が発生した場合、このユーザが入力した順序を再現することで、不具合を再現できる。【解決手段】キーをユーザが操作し、キーデータがオペパネドライバ１２へ送り込まれ、オペパネドライバ１２は、送られてきたキーデータを複写機アプリ１３に転送するとともに、オペパネサーバ１４に転送し、オペパネサーバ１４は送られてきたキーデータを、ＴＣＰ／ＩＰ経由でＰＣ２０上で稼働しているキーロギングプログラム２１へ転送し、ディスク２２へそのデータを記録／保管する。複写機アプリ１３からオペパネドライバ１２へ送り込まれるオペパネ表示命令も同じ手順でキーロギングプログラム２１へ転送し、ディスク２２へ記録／保管する。【選択図】図１
2008226258.tif 000002
【特許請求の範囲】
【請求項１】
複数の装置によりネットワークを介して、共用される機器において、入力されたキーのロギングについて、ロギング機能を有する装置を自動的に検索し、該当装置に対して、ユーザが入力したキーデータを送信し、該当装置上でキーをロギングすることを特徴とするロギング方式。
【請求項２】
複数の装置によりネットワークを介して、共用される複写機において、入力されたキーのロギングについて、ロギング機能を有する装置を自動的に検索し、該当装置に対して、ユーザが入力したキーデータを送信し、該当装置上でキーをロギングすることを特徴とする複写機。
【発明の詳細な説明】
【技術分野】
【０００１】
本発明は、ロギング方式および複写機に関する。
【背景技術】
【０００２】
近来の複写機のユーザＩ／Ｆは、大型液晶パネルの低価格化にともないタッチパネル型のユーザＩ／Ｆが普及し、固定キーを利用した従来のユーザＩ／Ｆに比べ、極めて複雑になっている。これは提供される機能の複雑さに対応するためであり、今後さらに複雑の度合いが高くなることが予想される。この機能の複雑さから、これを実現するプログラムに含まれる不具合も増加しており、不具合のない完全なプログラムの出荷が困難な状況になりつつある。
【発明の開示】
【発明が解決しようとする課題】
【０００３】
現在、複雑なユーザＩ／Ｆを持つ機器の品質保証は、実際にテストユーザが、いろいろなテストパターンをマニュアルでキー入力して、テストを行っているが、その効率は悪く、また、すべてのパターンをテストできるわけではない。
【０００４】
市場で発覚する不具合も存在することになるが、一般的に市場で発生した不具合を再現するのは難しい場合が多い。そこで、ユーザがどのような操作を行ったかを記録する必要があるが、ユーザが行ったすべての入力を記録するのは容量的に難しく、複写機以外の装置で記録保管するのが望ましい。
【０００５】
そこで、本発明は、上述のごとき問題を解決すべくなされたもので、ユーザがあらかじめ指定したＰＣなどの装置上の記憶装置に、ユーザが入力したデータを順次記録していくため、不具合が発生した場合は、このユーザが入力した順序を再現することで、不具合を再現できるようにすることを目的とする。
【０００６】
また、ユーザの入力データを記録／保管するＰＣなどをユーザがあらかじめ指定するのもめんどうなことがあり、複写機が自動的に、他のＰＣなどの装置を検索し、これに対して、ユーザの入力したデータを転送し、記録／保管するようにすることを目的とする。
【課題を解決するための手段】
【０００７】
本発明（指定装置上でのロギング方式）は、複数の装置によりネットワークを介して、共用される機器において、入力されたキーのロギングについて、あらかじめ指定された装置に対して、ユーザが入力したキーデータを送信し、指定された装置上でキーをロギングすることを特徴としたものである。
【０００８】
本発明（自動検索装置上でのロギング方式）は、複数の装置によりネットワークを介して、共用される機器において、入力されたキーのロギングについて、ロギング機能を有する装置を自動的に検索し、該当装置に対して、ユーザが入力したキーデータを送信し、該当装置上でキーをロギングすることを特徴としたものである。
【０００９】
本発明（指定装置上でのロギング可能な複写機）は、複数の装置によりネットワークを介して、共用される複写機において、入力されたキーのロギングについて、あらかじめ指定された装置に対して、ユーザが入力したキーデータを送信し、指定された装置上でキーをロギングすることを特徴としたものである。
【００１０】
本発明（自動検索装置上でのロギング可能な複写機）は、複数の装置によりネットワークを介して、共用される複写機において、入力されたキーのロギングについて、ロギング機能を有する装置を自動的に検索し、該当装置に対して、ユーザが入力したキーデータを送信し、該当装置上でキーをロギングすることを特徴としたものである。
【発明の効果】
【００１１】
本発明によれば、ユーザの入力データを記録／保管するＰＣなどをユーザがあらかじめ指定することなく、複写機が自動的に、他のＰＣなどの装置を検索し、これに対して、ユーザの入力したデータを転送し、記録／保管することができる。
【発明を実施するための最良の形態】
【００１２】
図１は、本発明によるロギング方式のシステム構成を示す図で、複写機１０とＰＣ２０はイーサネット（登録商標）で接続されている。複写機１０上に表示されているオペレーションパネル１１のキーをユーザが操作すると、キーデータがオペパネドライバ１２へ送り込まれる。オペパネドライバ１２は複写機１０のオペレーションパネル自体を制御しているドライバで、オペパネ１１からのキーデータの受取りと、オペパネ１１への表示を制御している。オペパネドライバ１２は、送られてきたキーデータを複写機アプリ１３に転送するとともに、オペパネサーバ１４に転送する。オペパネサーバ１４は送られてきたキーデータを、ＴＣＰ／ＩＰ経由でＰＣ２０上で稼働しているキーロギングプログラム２１へ転送し、キーロギングプログラムはディスク２２へそのデータを記録／保管する。同様に、複写機アプリ１３からオペパネドライバ１２へ送り込まれるオペパネ表示命令も同じ手順でキーロギングプログラム２１へ転送し、ディスク２２へそのデータを記録／保管する。
【００１３】
記録するデータは、パネルの状態と、入力されたキー（タッチパネルの場合は、その座標、固定キーの場合は、そのキーコード）である。たとえば、図２に示すように、テキスト形式で記録される。図２において、Ｎｏ＝１のデータは、ｐａｎｅｌの状態を示し、その状態は初期化状態を示す。Ｎｏ＝２のデータは、オペパネ上のタッチパネルかタッチパネルからの入力を示し、押された場所は座標系の（２４０，３５０）の場所であることを示す。Ｎｏ＝３のデータは、ｐａｎｅｌへの命令を示し、その内容はｒｅｄｒａｗである。Ｎｏ＝４のデータは、オペパネ上の固定キーからの入力を示し、押されたキーコードは'Ａ'であることを示す。Ｎｏ＝５のデータは、オペパネ上の固定キーからの入力を示し、押されたキーコードは'Ｂ'であることを示す。
【００１４】
次に、入力されたキーデータを記録する場合を説明する。なお、以下に説明した処理フローを図３に示すが、図３において、Ｓ１〜Ｓ４はＰＣ側、Ｓ１１〜Ｓ１９は複写機側のフローを示す。
【００１５】
まず、ＰＣ側で、（Ｓ１）キーロギングプログラムを起動し、次いで、複写機側で、（Ｓ１１）複写機を起動し、（Ｓ１２）キーロギングのために接続すべきＰＣの検索をし、（Ｓ１３）接続可能なＰＣのＴＣＰ／ＩＰの特定ＰＯＲＴと接続する。次いで、ＰＣ側で、（Ｓ２）複写機の特定ＰＯＲＴと接続し、複写機側で、（Ｓ１４）ユーザがキー入力を実行し、（Ｓ１５）オペパネドライバ１２から複写機アプリ１３へ転送するとともにオペパネサーバ１４へキーデータを転送し、（Ｓ１６）オペパネサーバ１４はキーデータをＰＣ２０へ送信する。次いで、ＰＣ側で、（Ｓ３）受け取ったキーデータをディスク２２へ保管し、複写機側で、（Ｓ１７）複写機アプリ１３は、オペパネドライバ１２へオペパネの表示命令を発行し、（Ｓ１８）オペパネドライバ１２からオペパネサーバへオペパネ１１の表示命令を転送し、（Ｓ１９）オペパネサーバ１４は表示命令をＰＣ２０へ送信し、ＰＣ側では、（Ｓ４）受け取った表示命令をディスク２２へ保管する。
【００１６】
（本発明の効果）
本発明の第１の効果：ユーザがあらかじめ指定したＰＣなどの装置上の記憶装置に、ユーザが入力したデータを順次記録していくため、不具合が発生した場合は、このユーザが入力した順序を再現することで、不具合を再現できる。
【００１７】
本発明の第２の効果：ユーザの入力データを記録／保管するＰＣなどをユーザがあらかじめ指定することなく、複写機が自動的に、他のＰＣなどの装置を検索し、これに対して、ユーザの入力したデータを転送し、記録／保管することができる。
【図面の簡単な説明】
【００１８】
【図１】本発明によるキーロギング方式のシステム構成を示す図である。
【図２】記録されたキーデータを示す図である。
【図３】入力キーデータを記録する場合の処理フローを説明するための図である。
【符号の説明】
【００１９】
１０    複写機
１１    オペレーションパネル
１２    オペパネドライバ
１３    複写機アプリ
１４    オペパネサーバ
２０    ＰＣ
２１    キーロギングプログラム
２２    記憶ディスク
【図１】
2008226258.tif 000003
【図２】
2008226258.tif 000004
【図３】
2008226258.tif 000005